(57)【要約】【課題】食器のこびりついた汚れを軟化させ、また強力な殺菌効果をすると同時に、安全性も具える食器洗い機を提供する。【解決手段】食器洗い機１の具有する洗浄槽１２と蒸気発生器１１に係り、該蒸気発生器はその両端に各給水孔１１２及び送気孔１１３を設け、給水孔より供給する水を該蒸気発生器を加温することにより速やかに高温蒸気と変化することにより該高温蒸気は送気孔を経て送気導管１１８へ送出され、その後洗浄槽へ供給される。洗浄槽内の送気導管を設置する位置により、食器にこびりついた汚れへ蒸気を噴出し、高温殺菌並びに皿の汚れを軟化させ、食器をきれいに洗浄し、また衛生面の効果も達成する。【選択図】　　　　図１
0003097081.tif 000002
【実用新案登録請求の範囲】
【請求項１】
両端にそれぞれ給水孔、送気孔を設け、該給水孔に接続された給水導管から供給された水を加熱して高温蒸気とし、該送気孔に接続された送気導管を介して洗浄槽に該高温蒸気を送る蒸気発生器、
及び内部に食器を収容し、内部を囲繞する送気導管に食器に向けた噴射孔を設けた洗浄槽、からなり、
蒸気発生器により発生した高温蒸気を洗浄槽内の食器に向けて噴射することにより、食器にこびりついた汚れを軟化し、高温殺菌し、食器を衛生的に洗浄することを特徴とする食器洗い機。
【請求項２】
前記送気導管に噴射孔を設け、高温蒸気は該噴射孔を経て洗浄槽へ供給され、高温蒸気は均一に洗浄槽内へ配分され、食器へ噴射する
ことを特徴とする請求項１記載の食器洗い機。
【請求項３】
前記送気導管に噴射孔を設けると共にスプレーアーム装置を設け、高温蒸気を食器へ噴射することを特徴とする請求項２記載の食器洗い機。
【請求項４】
蒸気発生器へ温度測定制御ユニットを設け、蒸気発生器の温度測定、運転の制御をし、該蒸気発生器は給水量不足により温度が高くなりすぎると、温度測定制御ユニットは蒸気発生器の運転を止め、蒸気発生器の温度が上昇し続けることを回避する
ことを特徴とする請求項１記載の食器洗い機。
【請求項５】
給水導管へ給水加熱器を設け、蒸気発生器へ水が一定の温度で進入し、蒸気発生器は更に速やかに水を高温蒸気とする
ことを特徴とする請求項１記載の食器洗い機。
【請求項６】
給水加熱器と進入導管の接続する個所へバネを設け、導管の形状を保持し、導管が高温による軟化、または劣化による破損などを防止する
ことを特徴とする請求項５記載の食器洗い機。
【請求項７】
蒸気発生器は進入導管及び送気導管と接続する個所へバネを設け、導管の形状を保持し、高温による軟化、または劣化による破損などを防止する
ことを特徴とする請求項１記載の食器洗い機。
【請求項８】
進入導管にポンプを設け、ポンプにより蒸気発生器へ水が入る速度を更に速め、高温蒸気を発生する速度を速める
ことを特徴とする請求項１記載の食器洗い機。
【請求項９】
ボイラー、該ボイラーにより水は高温蒸気となり、且つその両端へそれぞれ給水孔と送気孔を設け、
洗浄槽は、該洗浄槽内へ食器を置き、洗浄する動作を進行し、
給水導管は、該給水導管はボイラーの給水孔へ設け、
送気導管は、該送気導管はボイラーの送気孔へ設け、洗浄槽内部を囲繞しており、
水は給水導管により給水孔を経てボイラーへ進入し、水は速やかに高温蒸気となり、再び送気孔へ設ける洗浄槽内部を囲繞する送気導管へ送出し、高温蒸気は洗浄槽へ進入し、食器にこびりついた汚れを軟化し、高温殺菌し、食器を衛生的に洗浄する効果となる
ことを特徴とする食器洗い機。
【請求項１０】
前記送気導管へ噴射孔を設け、高温蒸気は該噴射孔を経て洗浄槽へ進入し、高温蒸気は均一に洗浄槽内へ分配され、食器へ噴射する
ことを特徴とする請求項９記載の食器洗い機。
【請求項１１】
前記送気導管に設ける噴射孔へスプレーアーム装置を設け、高温蒸気が食器へ噴射する面積を増加する
ことを特徴とする請求項１０記載の食器洗い機。
【請求項１２】
ボイラーへ温度測定制御ユニットを設け、ボイラーの温度測定、運転を制御し、該ボイラーは給水量不足により温度が高くなりすぎると、温度測定制御ユニットはボイラーの運転を止め、ボイラーの温度が上昇し続けることを避ける
ことを特徴とする請求項９記載の食器洗い機。
【請求項１３】
給水導管へ給水加熱器を設け、ボイラーへ水が一定の温度で進入し、ボイラーは更に速やかに水を高温蒸気とする
ことを特徴とする請求項９記載の食器洗い機。
【請求項１４】
給水加熱器は給水導管と接続するところへバネを設け、導管の形状を保持し、導管が高温による軟化、または劣化、破損することを防止する
ことを特徴とする請求項１３記載の食器洗い機。
【請求項１５】
ボイラーは給水導管及び送気導管と接続するところへバネを設け、導管の形状を保持し、導管が高温による軟化、または劣化による破損などを防止する
ことを特徴とする請求項９記載の食器洗い機。
【考案の詳細な説明】
【０００１】
【考案の属する技術分野】
本考案は一種の食器洗い機に係り、
該食器洗い機の具有する洗浄槽と蒸気発生器に係り、該蒸気発生器はその両端に各給水孔及び送気孔を設け、
給水孔より進入する水を速やかに高温蒸気と変化することにより該蒸気発生器を加温し、該高温蒸気は送気孔を経て送気導管へ送出され、その後洗浄槽へ進入する。
洗浄槽内の送気導管設置する位置により、食器にこびりついた汚れへ蒸気を噴出し、高温殺菌並びに皿の汚れを軟化させ、食器をきれいに洗浄し、また衛生面の効果も達成する。
【０００２】
【従来の技術】
公知の食器洗い機の多くは散水洗浄式によるものであり、循環洗浄する洗浄方式により食器を洗浄する効果を有する。
従来使用者は食事後水の中へ食器をつけておかなければ食器に食べかすなどがこびりついてしまい、食器洗い機を何度も使用して洗ってもなかなかきれいにならない、
また公知の食器洗い機には温水による洗浄方式もある、ただ、加熱した温水は時間がたつと温水の温度がさがり、食器にこびりついた汚れはなかなかとれない。
また、これらの温水の温度では洗浄過程において殺菌効果は無い、よって公知の食器洗い機は衛生的な効果が十分ではない。
【０００３】
【考案が解決しようとする課題】
上記公知のものに置ける欠点を解決するため、食器を洗浄する効果を備える洗い機の提供を課題とする。
【０００４】
【課題を解決するための手段】
上記課題を解決するため、本考案は食器洗い機を提供する。
【０００５】
【考案実施の形態】
図１、２に示すように、本考案の第一実施例は
食器洗い機１に蒸気発生器１１、洗浄槽１２だけを設け、
該洗浄槽１２へ食器を置く、
蒸気発生器１１の底面に電源線１１１を設け、
蒸気発生器１１の両端にそれぞれ給水孔１１２、送気孔１１３を設け、
該蒸気発生器１１へ螺子孔１１４を設け、
また該蒸気発生器１１の上方へ温度測定孔１１５を設け、
温度測定制御ユニット１１６はその両端へ固定支柱１１６ａを設け、且つ該温度測定制御ユニット１１６へ電源線１１６ｂを設け、温度測定制御ユニット１１６は蒸気発生器１１の温度測定孔１１５へ設置し、ネジ１１４ａを該温度測定制御ユニット１１６の固定支柱１１６ａを通して螺子孔１１４へ留め、
該温度測定制御ユニット１１６は蒸気発生器１１の温度測定、運転を制御する。
【０００６】
洗浄槽１２内の底部へスプレーアーム１２１を設け、該スプレーアーム１２１の固定桿１２１ａを洗浄槽１２の底部へ回転可能に固定設置し、上へ向かって水を噴射し、食器の汚れをきれいに洗浄し、
洗浄槽１２内の下方に集水孔１２２を設け、
該洗浄槽１２へ置いた食器を洗浄する。
【０００７】
蒸気発生器１１は洗浄槽１２の下方へ設けられ、該蒸気発生器１１の給水孔１１２には給水導管１１７を設け、水を蒸気発生器１１へ進入させる、
送気孔１１３は送気導管１１８を設け、該送気導管１１８は洗浄槽１２内部を囲繞しており、
蒸気発生器１１が運転を開始すると、該蒸気発生器１１は加温され、速やかに高温蒸気となり、送気孔１１３へ送出する、該送気導管１１８に設けた導管口１１８ｄを経由して高温蒸気を洗浄槽１２へ進入させ、食器へ向けて噴出する。
スプレーアーム１２１は上へ向かって噴射し、食器にこびりついた汚れを軟化し、洗浄の効果を増進する、且つ高温蒸気は殺菌効果を具有するので、食器を高温殺菌洗浄し、こびりついた汚れを軟化する効果を増加することを達成する。
且つ該蒸気発生器１１は給水量不足によって温度が高くなりすぎると、温度測定制御ユニット１１６は蒸気発生器１１の運転を止め、蒸気発生器１１の温度が上昇し続けることを避ける、このように本考案は安全性も考慮している、
且つ高温蒸気または食器を洗浄後の水は洗浄槽１２の下方の集水孔１２２に集められ、再び蒸気発生器１１へ進入して循環利用される、節水と環境保護も考慮されている。
【０００８】
図３に示すように、
該送気導管１１８導管口１１８ｄを設けることもでき、また噴射孔１１８ｂを設けることもでき、高温蒸気は噴射孔１１８ｂを経由して洗浄槽１２へ供給され、高温蒸気は均等に洗浄槽１２内へ分布し、食器かご１２３に食器を置き、該蒸気発生器１１は運転を開始し、該蒸気発生器１１は加温され、速やかに高温蒸気となり、送気孔１１３へ送出する、洗浄槽１２内部を囲繞する送気導管１１８に設ける噴射孔１１８ｂにより高温蒸気を洗浄槽へ供給する。噴射孔１１８ｂの設計は高温蒸気を食器へ直接噴射するものであり、食器を速やかに洗浄する効果を達成する。
【０００９】
図４、５に示すように、洗浄槽１２内を囲繞する送気導管１１８へ噴射孔１１８ｂを設け、さらにスプレーアーム１１８ｃを増設し、高温蒸気を食器へ噴出する面積の増大により洗浄の効率も増加する。
【００１０】
図６に示すように、給水導管１１７へ給水加熱器１３を設け、該給水加熱器１３は蒸気発生器１１へ水が到達する前に水を一定の温度にすることにより、蒸気発生器１１は進入してきた水は速やかに高温蒸気となる、
給水加熱器１３を経由して高温度の熱水となった水は給水孔１１２より蒸気発生器１１へ進入する。
【００１１】
図７に示すように、給水導管１１７へポンプ１４を設け、水はポンプ１４で加圧され送出されることにより、蒸気発生器１１へ水の進む速度を更に速めて進入する。高温蒸気を発生する速度も増加する、よって食器洗浄機の洗浄効率も増加する。
【００１２】
給水導管１１７と送気導管１１８が蒸気発生器１１、給水加熱器１３或いはポンプ１４と接続するところへバネ１１７ａ、バネ１１８ａを設け、給水導管１１７、送気導管１１８の形状を保持し、給水導管１１７、送気導管１１８は高温による軟化、または劣化による破損や、蒸気の漏出による操作上の危険、洗浄効率の低下などを避ける、
【００１３】
再び図１に示すように、本考案はコントロールパネル１５を設け、そこへコントロールボタン１５１を設け、洗浄の設定の操作を行う、
例えば、スプレーアーム１２１を設定して、食器にこびりついた汚れを洗浄し、蒸気発生器１１の高温蒸気によりこびりついた汚れを軟化させ、最後にスプレーアーム１２１で洗浄する。
或いは、先ず蒸気発生器１１の高温蒸気が食器にこびりついた汚れを軟化させ、スプレーアーム１２１で洗浄後、最後に高温蒸気による強力な殺菌効果を有する。
且つ該コントロールボタン１５１で洗浄時間を設定し、食器が比較的多い又は油でべとべとな食器を洗浄するときは洗浄時間を比較的長く設定する。
故に本考案は使用者の異なる要求により洗浄工程を制御する最高の効果を具える。
【００１４】
図８に示すように、本実施例の制御回路は、その洗浄制御ユニット１６が食器洗い機１の回路制御の中枢となり、
該コントロールパネル１５は洗浄工程の設定を操作する区域であり、
駆動件１６１は継電器１６２を駆動させ、
使用者がコントロールパネル１５の洗浄工程の設定操作をして、洗浄が開始すると、洗浄制御ユニット１６は駆動件１６１へ信号を発信して、継電器１６２を作動させ、それにより温度測定制御ユニット１１６と蒸気発生器１１は運転する、
また、別に本回路へ給水加熱器１３の制御回路も増設する、よって洗浄工程の制御となる。
【００１５】
図９、１０に示すように、本案の第二実施例は
食器洗い機２にボイラー２１と洗浄槽２２を設け、
該洗浄槽２２へ食器を置く、
該ボイラー２１の底面に電源線２１１を設け、該ボイラー２１の両端にそれぞれ給水孔２１２、送気孔２１３を設け、該ボイラー２１へ螺子孔２１４を設け、また該ボイラー２１の上方へ温度測定孔２１５を設ける。
該ボイラー２１を利用して水を煮沸して、高温蒸気となり、洗浄槽２２へ送出される。
温度測定制御ユニット２１６はその両端へ固定支柱２１６ａを設け、且つ該温度測定制御ユニット２１６へ電源線２１６ｂを設け、温度測定制御ユニット２１６はボイラー２１の温度測定孔２１５へ設置し、該温度測定制御ユニット２１６の固定支柱２１６ａは螺子孔２１４に固定螺着されたネジ２１４ａを経由して、温度測定制御ユニット２１６はボイラー２１へ固定する、
該温度測定制御ユニット２１６はボイラー２１の温度感応と運転を制御する。
【００１６】
洗浄槽２２内の底部へスプレーアーム２１１を設け、該スプレーアーム２２１の固定桿２２１ａを洗浄槽２２の底部へ固定設定され、回転し、上へ向かって水を噴射し、食器の汚れをきれいに洗浄し、
洗浄槽２２内の下方に集水孔２２２を設ける。
【００１７】
ボイラー２１は洗浄槽２２の下方へ設けられ、該ボイラー２１の集水孔２１２は給水導管２１７を設け、水をボイラー２１へ進入させる、送気孔２１３は送気導管２１８を設け、該送気導管２１８は洗浄槽２２内を囲繞しており、該ボイラー２１が運転を開始すると、ボイラー２１は加温され、速やかに高温蒸気となり、送気孔２１３へ送出する、該送気導管２１８の導管口２１８ｄを経由し、高温蒸気を洗浄槽２２へ進入させ、食器へ噴射し、こびりついた汚れを軟化し、洗浄の効果を増進する、且つ高温蒸気は殺菌効果を具有するので、食器を高温殺菌し、こびりついた汚れを軟化する効果の増加を達成する。
且つ該ボイラー２１は給水量不足によって温度が高くなりすぎると、温度測定制御ユニット２１６はボイラー２１の運転を止め、ボイラー２１の温度が上昇し続けることを避ける、本考案は安全性も考慮している、
【００１８】
図１１に示すように、該送気導管２１８へ導管口２１８ｄを設けることもでき、また噴射孔２１８ｂを設けることもでき、
高温蒸気は噴射孔２１８ｂを経由して洗浄槽２２へ進入し、高温蒸気は均等に洗浄槽２２内へ分布し、食器かご２２３に食器を置き、該ボイラー２１は運転を開始し、該ボイラー２１は加温され、速やかに高温蒸気となり、送気孔２１３へ送出する、洗浄槽２２内を囲繞する送気導管２１８の噴射孔２１８ｂにより高温蒸気を洗浄槽２２へ進入させる、噴射孔２１８ｂの設計は高温蒸気を食器へ直接噴出するものであり、食器を速やかに洗浄する効果を達成する。
【００１９】
図１２、１３に示すように、洗浄槽２２内を囲繞する送気導管２１８へ噴射孔２１８ｂを設け、さらにスプレーアーム２１８ｃを増設し、高温蒸気を食器へ効果的に噴出する効果を増加し、洗浄の効率も増加する。
【００２０】
図１４に示すように、給水導管２１７へ給水加熱器２３を設け、該給水加熱器２３はボイラー２１へ水が到達する前に一定の温度にすることにより、ボイラー２１へ進入してきた水は速やかに高温蒸気となり、
給水加熱器２３を経由して高温度の熱水となった水は給水孔２１２よりボイラー２１へ進入する。
【００２１】
進入導管２１７と送気導管２１８がボイラー２１、給水加熱器２３と連接するところへバネ２１７ａ、バネ２１８ａを設け、給水導管２１７、送気導管２１８の形状を保持し、進入導管２１７、送気導管２１８は高温による軟化、または劣化による破損や、蒸気の漏出による操作上の危険性、洗浄効率の低下を回避する。
【００２２】
再び図９に示すように、本考案のコントロールパネル２４を設け、そこへコントロールボタン２４１を具有し、洗浄の設定の操作を行う、
例えば、スプレーアーム２２１を設定して、食器についた汚れを洗浄し、ボイラー２１の高温蒸気により食器にこびりついた汚れを軟化させ、更にスプレーアーム２２１で洗浄し、最後に高温蒸気による強力殺菌効果を発揮する。
且つ該コントロールボタン２４１で洗浄時間を設定し、食器が比較的多い、又は油でべとべとな食器を洗浄する時は、洗浄時間を比較的長く設定する。
故に本考案は使用者の異なる要求により洗浄工程を制御する最高の効果を具える。
【００２３】
図１５に示すように、本実施例の制御回路図は、該洗浄制御ユニット２５が食器洗い機２の回路制御の中枢となり、
該コントロールパネル２４は、洗浄工程の設定を操作区域であり、
駆動件２５１は、継電器２５２を駆動させ、
使用者がコントロールパネル２４の洗浄工程の設定操作をして、洗浄が開始すると、洗浄制御ユニット２５は駆動件２５１へ信号を発信し、継電器２５２を作動させ、それにより温度測定制御ユニット２１６とボイラー２１は運転する。
また、本回路へ給水加熱器２３の制御回路も増設する、よって洗浄工程の制御となる。
【００２４】
【考案の効果】
本考案によると、食器のこびりついた汚れを軟化させ、また強力な殺菌効果をすると同時に、安全性も具える目的が達成された。
【図面の簡単な説明】
【図１】本考案における第一実施例の立体分解図である。
【図２】本考案における第一実施例の導管による洗浄指示図である。
【図３】本考案における第一実施例の噴射孔による洗浄指示図である。
【図４】本考案における第一実施例の噴射孔へスプレーアームを取り付ける立体分解図である。
【図５】本考案における第一実施例の噴射孔へスプレーアームを取り付ける洗浄指示図である。
【図６】本考案における第一実施例の給水加熱器を取り付ける洗浄指示図である。
【図７】本考案における第一実施例のポンプを取り付ける洗浄指示図である。
【図８】本考案における第一実施例の制御回路図である。
【図９】本考案における第二実施例の立体分解図である。
【図１０】本考案における第二実施例の導管の洗浄指示図である。
【図１１】本考案における第二実施例の噴射孔の洗浄指示図である。
【図１２】本考案における第二実施例の噴射孔へスプレーアームを取り付ける立体分解図である。
【図１３】本考案における第二実施例の噴射孔へスプレーアームを取り付ける洗浄指示図である。
【図１４】本考案において第二実施例の給水加熱器を取り付ける洗浄指示図である。
【図１５】本考案において第二実施例の制御回路図である。
【符号の説明】
１　　　　食器洗い機
１１　　　蒸気発生器
１１１　　電源線
１１２　　給水孔
１１３　　送気孔
１１４　　螺子孔
１１４ａ　ネジ
１１５　　温度測定孔
１１６　　温度測定制御ユニット
１１６ａ　固定支柱
１１６ｂ　電源線
１１７　　給水導管
１１７ａ　バネ
１１８　　送気導管
１１８ａ　バネ
１１８ｂ　噴射孔
１１８ｃ　スプレーアーム
１１８ｄ　導管口
１２　　　洗浄槽
１２１　　スプレーアーム
１２１ａ　固定桿
１２２　　集水孔
１２３　　食器かご
１３　　　給水加熱器
１４　　　ポンプ
１５　　　コントロールパネル
１５１　　コントロールボタン
１６　　　洗浄制御ユニット
１６１　　駆動件
１６２　　リレー（ｒｅｌａｙ）
２　　　　食器洗い機
２１　　　ボイラー
２１１　　電源線
２１２　　給水孔
２１３　　送気孔
２１４　　螺子孔
２１４ａ　ネジ
２１５　　温度測定孔
２１６　　温度測定制御ユニット
２１６ａ　固定支柱
２１６ｂ　電源線
２１７　　給水導管
２１７ａ　バネ
２１８　　送気導管
２１８ａ　バネ
２１８ｂ　噴射孔
２１８ｃ　スプレーアーム
２１８ｄ　導管口
２２　　　洗浄槽
２２１　　スプレーアーム
２２１ａ　固定桿
２２２　　集水孔
２２３　　食器かご
２３　　　給水加熱器
２４　　　コントロールパネル
２４１　　コントロールボタン
２５　　　洗浄制御ユニット
２５１　　駆動件
２５２　　リレー（ｒｅｌａｙ）
【図１】
0003097081.tif 000003
【図２】
0003097081.tif 000004
【図３】
0003097081.tif 000005
【図４】
0003097081.tif 000006
【図５】
0003097081.tif 000007
【図６】
0003097081.tif 000008
【図７】
0003097081.tif 000009
【図８】
0003097081.tif 000010
【図９】
0003097081.tif 000011
【図１０】
0003097081.tif 000012
【図１１】
0003097081.tif 000013
【図１２】
0003097081.tif 000014
【図１３】
0003097081.tif 000015
【図１４】
0003097081.tif 000016
【図１５】
0003097081.tif 000017
【手続補正書】
【提出日】平成15年5月1日(2003.5.1)
【手続補正１】
【補正対象書類名】明細書
【補正対象項目名】請求項９
【補正方法】変更
【補正の内容】
【請求項９】
両端にそれぞれ給水孔、送気孔を設け、該給水孔に接続された給水導管から供給された水を加熱して高温蒸気とし、該送気孔に接続された送気導管を介して洗浄槽に該高温蒸気を送るボイラー、
及び内部に食器を収容し、内部を囲繞する送気導管に食器に向けた噴射孔を設けた洗浄槽、からなり、
ボイラーにより発生した高温蒸気を洗浄槽内の食器に向けて噴射することにより、食器にこびりついた汚れを軟化し、高温殺菌し、食器を衛生的に洗浄することを特徴とする食器洗い機。